(57)【要約】  本技術は、薄型のディスプレイを用いて新たな楽しみ方を提供できるようにする装飾装置、駆動制御方法、および通信システムに関する。装飾装置は、石と石座の間に配置された薄板状のディスプレイと、ディスプレイの表示を制御する駆動制御部とを備える。本技術は、例えば、指輪、ペンダント、ネックレス、イヤリング等のアクセサリ（装身具）等に適用できる。
2017221740.tif 000002
【特許請求の範囲】
【請求項１】
石と石座の間に配置された、薄板状のディスプレイと、
前記ディスプレイの表示を制御する駆動制御部と
を備える装飾装置。
【請求項２】
少なくとも１つのセンサをさらに備え、
前記駆動制御部は、前記センサからの出力値に応じて、前記ディスプレイの表示を制御する
請求項１に記載の装飾装置。
【請求項３】
前記駆動制御部は、前記センサからの出力値に応じて、前記ディプレイの表示柄を切り替える
請求項２に記載の装飾装置。
【請求項４】
前記駆動制御部は、前記センサからの出力値に応じて、前記ディスプレイの表示色を切り替える
請求項２に記載の装飾装置。
【請求項５】
前記センサは、加速度センサ、照度センサ、心拍センサ、GPSセンサ、高度センサ、気圧センサ、人感センサ、または、地磁気センサのいずれかである
請求項２に記載の装飾装置。
【請求項６】
ユーザの切り替え操作を受け付けるスイッチをさらに備え、
前記駆動制御部は、前記スイッチが受け付けた前記切り替え操作に応じて、前記ディスプレイの表示を制御する
請求項１に記載の装飾装置。
【請求項７】
前記駆動制御部は、前記切り替え操作に応じて、前記ディプレイの表示柄を切り替える
請求項６に記載の装飾装置。
【請求項８】
前記駆動制御部は、前記切り替え操作に応じて、前記ディスプレイの表示色を切り替える
請求項６に記載の装飾装置。
【請求項９】
前記駆動制御部は、一定時間ごとに前記ディスプレイの表示を変更する制御を行う
請求項１に記載の装飾装置。
【請求項１０】
他の装置と近距離無線通信を行う近距離無線通信部をさらに備え、
前記駆動制御部は、前記近距離無線通信が受信した前記他の装置からの制御情報に従い、前記ディスプレイの表示を制御する
請求項１に記載の装飾装置。
【請求項１１】
前記近距離無線通信部は、前記他の装置がユーザに通知したい内容を示す情報を受信し、
前記駆動制御部は、前記他の装置がユーザに通知したい内容に応じて、前記ディスプレイの表示を変化させる
請求項１０に記載の装飾装置。
【請求項１２】
前記近距離無線通信部は、前記他の装置が有するセンサの出力値を受信し、
前記駆動制御部は、前記他の装置が有するセンサの出力値に応じて、前記ディスプレイの表示を制御する
請求項１０に記載の装飾装置。
【請求項１３】
近距離無線通信を用いて、他の装置からデザインデータを受信する近距離無線通信部をさらに備え、
前記駆動制御部は、前記デザインデータに基づいて、前記ディスプレイの表示を制御する
請求項１に記載の装飾装置。
【請求項１４】
前記石の形状に応じて前記デザインデータを補正するための補正情報を記憶する記憶部をさらに備え、
前記駆動制御部は、前記補正情報に基づく補正処理後の前記デザインデータに基づいて、前記ディスプレイの表示を制御する
請求項１３に記載の装飾装置。
【請求項１５】
前記石の形状に関する情報である形状情報を記憶する記憶部をさらに備え、
前記近距離無線通信部は、前記形状情報を前記他の装置に送信するとともに、前記形状情報に基づく補正処理後の前記デザインデータを受信し、
前記駆動制御部は、前記補正処理後の前記デザインデータに基づいて前記ディスプレイの表示を制御する
請求項１３に記載の装飾装置。
【請求項１６】
前記石と前記ディスプレイとの間に、ハーフミラーを有する
請求項１に記載の装飾装置。
【請求項１７】
前記ハーフミラーは、前記石と前記ディスプレイとの間の平面領域全体に配置されている
請求項１６に記載の装飾装置。
【請求項１８】
前記石と前記ディスプレイとの間の平面領域の一部に、ミラーを有する
請求項１に記載の装飾装置。
【請求項１９】
石と石座の間に配置された、薄板状のディスプレイと、
前記ディスプレイを駆動する駆動制御部と
を備える装飾装置の
前記駆動制御部が、前記ディスプレイの表示を制御する
駆動制御方法。
【請求項２０】
装飾装置と端末装置とからなり、
前記装飾装置は、
石と石座の間に配置された、薄板状のディスプレイと、
前記ディスプレイの表示を制御する駆動制御部と、
前記端末装置と無線通信を行う通信部と
を備え、
前記端末装置は、前記ディスプレイの表示を変更するための制御情報を、前記通信部に送信する
通信システム。
【発明の詳細な説明】
【技術分野】
【０００１】
本技術は、装飾装置、駆動制御方法、および通信システムに関し、特に、薄型のディスプレイを用いて新たな楽しみ方を提供できるようにした装飾装置、駆動制御方法、および通信システムに関する。
【背景技術】
【０００２】
薄型ディスプレイには、液晶ディスプレイ、有機ELディスプレイ、電子ペーパなどがある。電子ペーパは、表示を切り替えるときのみ電流を流せばよく、表示を保持するために電流を流す必要がないため、低消費電力性に優れている。電子ペーパは、電子書籍リーダのようなタブレット型の表示装置などに利用されている（例えば、特許文献１参照）。
【先行技術文献】
【特許文献】
【０００３】
【特許文献１】特開２０１３−１５７７９号公報
【発明の概要】
【発明が解決しようとする課題】
【０００４】
近年、上記のような薄型のディスプレイの様々な製品への応用が望まれている。【０００５】
本技術は、このような状況に鑑みてなされたものであり、薄型のディスプレイを用いて新たな楽しみ方を提供できるようにするものである。
【課題を解決するための手段】
【０００６】
本技術の第１の側面の装飾装置は、石と石座の間に配置された、薄板状のディスプレイと、前記ディスプレイの表示を制御する駆動制御部とを備える。【０００７】
本技術の第２の側面の駆動制御方法は、石と石座の間に配置された、薄板状のディスプレイと、前記ディスプレイを駆動する駆動制御部とを備える装飾装置の前記駆動制御部が、前記ディスプレイの表示を制御する。【０００８】
本技術の第１及び第２の側面においては、装飾装置の石と石座の間に配置された、薄板状のディスプレイの表示が制御される。【０００９】
本技術の第３の側面の通信システムは、装飾装置と端末装置とからなり、前記装飾装置は、石と石座の間に配置された、薄板状のディスプレイと、前記ディスプレイの表示を制御する駆動制御部と、前記端末装置と無線通信を行う通信部とを備え、前記端末装置は、前記ディスプレイの表示を変更するための制御情報を、前記通信部に送信する。【００１０】
本技術の第３の側面においては、ディスプレイの表示を変更するための制御情報が端末装置から装飾装置に送信され、装飾装置の石と石座の間に配置された、薄板状のディスプレイの表示が変更される。【００１１】
装飾装置は、独立した装置であっても良いし、１つの装置を構成している内部ブロックであっても良い。
【発明の効果】
【００１２】
本技術の第１乃至第３の側面によれば、薄型のディスプレイを用いて新たな楽しみ方を提供できるようにする。【００１３】
なお、ここに記載された効果は必ずしも限定されるものではなく、本開示中に記載されたいずれかの効果であってもよい。
【図面の簡単な説明】
【００１４】
【図１】装飾品の第１の実施形態の概略構成例を示す断面図である。
【図２】装飾品の第１の実施形態の概略構成例を示す断面図である。
【図３】Eペーパの表示制御に関する装飾品の制御ブロック図である。
【図４】柄変更スイッチ押下時の動作を説明する図である。
【図５】マニュアルモード柄変更制御処理を説明するフローチャートである。
【図６】色変更スイッチ押下時の動作を説明する図である。
【図７】第１オートモード表示制御処理を説明するフローチャートである。
【図８】多石型の装飾品の表示制御例を示す図である。
【図９】装飾品の第２の実施形態の概略構成例を示す断面図である。
【図１０】装飾品の第３の実施形態の概略構成例を示す断面図である。
【図１１】装飾品の第４の実施形態の制御ブロック図である。
【図１２】表示パターンの作成例を示す図である。
【図１３】作成した表示パターンの表示例を示す図である。
【図１４】NFC通信を行う場合の操作例を示す図である。
【図１５】デザインデータ補正処理を説明する図である。
【図１６】表示パターン転送処理を説明するフローチャートである。
【図１７】表示パターン提供システムの構成例を示す図である。
【図１８】デザインデータ提供処理を説明するフローチャートである。
【図１９】本技術を適用したバレッタの例を示す図である。
【図２０】本技術を適用したブレスレットの例を示す図である。
【図２１】本技術を適用したスマートフォンカバーの例を示す図である。
【発明を実施するための形態】
【００１５】
以下、本技術を実施するための形態（以下、実施形態という）について説明する。なお、説明は以下の順序で行う。
１．装飾品の第１の実施形態の概略構成例
２．装飾品の制御ブロック図
３．マニュアルモードの動作説明
４．オートモードの動作説明
５．装飾品の第２の実施形態の概略構成例
６．装飾品の第３の実施形態の概略構成例
７．装飾品の第４の実施形態
８．その他の装飾品の適用例
【００１６】
＜１．装飾品の第１の実施形態の概略構成例＞
図１は、装飾品の第１の実施形態の概略構成例を示す断面図である。
【００１７】
図１に示される装飾品１は、石１１、Eペーパ１２、回路基板１３、及び石座１４を有する。この装飾品１は、例えば、指輪、ペンダント、ネックレス、イヤリング等のアクセサリ（装身具）に用いられる。
【００１８】
石１１は、例えば、ダイヤモンド、ルビー等の天然石や、プラスチックやガラス等の人工石で構成される。本実施形態では、説明を簡単にするため、石１１の色は無色透明であるとするが、石１１自体が所定の色を有してもよい。石１１のカット形状には、例えばブリリアントカットと呼ばれるものなど、様々あるが、任意の形状が可能である。
【００１９】
Eペーパ１２は、いわゆる電子ペーパと呼ばれる、形態を柔軟に変形することが可能な薄板状の電気泳動型ディスプレイ（Electrophoretic Display）である。
【００２０】
電気泳動型ディスプレイの構造について簡単に説明する。
【００２１】
電気泳動型ディスプレイは、例えば、マイクロカプセル充填層の上面と下面を電極層で挟み込んだ構造とされており、ユーザに視認される側の電極層は、ITO（インジウム錫オキサイド）やZnOなどの透明電極層で構成されている。
【００２２】
マイクロカプセル充填層には、単一もしくは複数の粒子を含むマイクロカプセルが、透明な溶液内に充填されている。例えば、マイクロカプセル充填層のマイクロカプセル内に白色粒子と黒色粒子の２つの粒子が充填されている場合、表示面側の透明電極層に正の電圧が印加されると、その透明電極層側に、負に帯電されている白色粒子が集まり、白（色）が表示される。反対に、表示面側の透明電極層に負の電圧が印加されると、その透明電極層側に、正に帯電されている黒色粒子が集まり、黒（色）が表示される。このように、電気泳動型ディスプレイでは、電極層に印加する電圧を制御することで、白または黒の表示が可能となる。また、印加電圧を複数段階に設定することにより、白色と黒色の中間階調の表示（グレイ表示）も可能となる。
【００２３】
なお、近年では、マイクロカプセル内に白色粒子と黒色粒子以外の色の粒子を含む電気泳動型ディスプレイも開発されており、例えば、赤色粒子が含まれている場合には、黒、白、及びグレイに加えて、赤、及び、赤と白の中間階調（ピンク）の表示が可能となる。
【００２４】
本実施形態においても、Eペーパ１２のマイクロカプセル内には、白色粒子、黒色粒子、及び赤色粒子が含まれているタイプが採用されていることとし、黒、白、及び赤と、それらの中間階調（グレイ、ピンク）の表示が可能である。
【００２５】
電気泳動型ディスプレイの特徴は、低消費電力であることである。即ち、電気泳動型ディスプレイは、LCD (Liquid Crystal Display)で必要なバックライトが不要である。また、電気泳動型ディスプレイは、表示を切り替えるときのみ電流を流せばよく、表示を保持するために電流を流す必要がない。そのため、電気泳動型ディスプレイは、LCDなどと比較して、極めて低い消費電力で表示が可能である。
【００２６】
また、電気泳動型ディスプレイの他の特徴は、フレキシブル性（可撓性）である。即ち、電気泳動型ディスプレイは、極薄型のフィルム状であり、ある程度自由に形状を変形させることができる。
【００２７】
なお、電気泳動型ディスプレイは、上述したマイクロカプセル方式に限定される必要はない。さらに、電子ペーパの表示方式として知られる電気泳動型以外の他の方式によるものでもよい。
【００２８】
回路基板１３は、Eペーパ１２の表示を制御するための制御回路が形成された基板である。
【００２９】
石座１４は、石１１を固定する部品であり、例えば、金、銀、銅、プラチナ等の金属や樹脂などで形成される。なお、図１の断面図では、石座１４は、石１１の外周側面と底面の全てを覆うように形成されているが、いわゆる４つ爪や８つ爪のように複数個所のみで固定するタイプや、底面が覆われていないタイプでもよい。即ち、石座１４の形状は限定されず、任意の形状が可能である。
【００３０】
図１に示されるように、Eペーパ１２は、石１１と石座１４の間に配置されており、Eペーパ１２によって表示される所定の色や柄が、石１１を透過して、装飾品１を見たユーザに認識される。
【００３１】
一般に、指輪やネックレス、イヤリング等のアクセサリの石のカラーバリエーションは豊富であるが、石の色は、石自体についている色をそのまま使用しており、色を変えるためには、アクセサリ自体を取り換える必要があった。例えば、ユーザは、その日の気分や服装に合せて、色の違うアクセサリを使い分ける必要があった。
【００３２】
これに対して、本技術を適用した装飾品１によれば、石１１と石座１４の間にEペーパ１２を設けたことにより、Eペーパ１２が表示する色や柄を変更することで、ユーザが見る石１１の色や柄を、石１１を取り換えずに変更することができる。例えば、Eペーパ１２が白（色）を表示すると、ユーザは、石１１をその本来の色として視認することができる。また例えば、Eペーパ１２が黒（色）を表示すると、ユーザは、石１１を、黒色の石のように視認することができ、Eペーパ１２が赤（色）を表示すると、ユーザは、石１１を、赤色の石のように視認することができる。
【００３３】
なお、Eペーパ１２が表示する色や柄を石１１に反映させるため、Eペーパ１２は石１１と石座１４の間に設ける必要があるが、回路基板１３は、必ずしも石１１と石座１４の間に設ける必要はなく、任意の場所に配置してよい。例えば、石座１４の底面中央部に埋め込んでもよい。
【００３４】
また、本実施形態においては、図１に示したように、１個の石１１が、Eペーパ１２及び石座１４の上に置かれた構成を基本形態として説明するが、図２に示されるように、複数の石１１がEペーパ１２及び石座１４の上に置かれた多石型の構成もあり得る。
【００３５】
＜２．装飾品の制御ブロック図＞
図３は、Eペーパ１２の表示制御に関する装飾品１の制御ブロック図である。
【００３６】
装飾品１は、回路基板１３内に、センサ３１、モード変更スイッチ３２、柄変更スイッチ３３、色変更スイッチ３４、駆動制御部３５、及びバッテリ３６を備える。
【００３７】
センサ３１は、例えば、X軸、Y軸、及びZ軸の３軸の加速度を検出する加速度センサで構成され、検出結果を駆動制御部３５に供給する。駆動制御部３５が、センサ３１の出力値に応じて表示を制御することで、例えば、装飾品１の動きに応じてEペーパ１２の色や柄を変更することができる。なお、加速度の代わりに角速度を検出するジャイロセンサを用いてもよい。
【００３８】
あるいはまた、センサ３１は、周辺の明るさを検出する照度センサで構成してもよい。この場合、駆動制御部３５が、センサ３１の出力値に応じて表示を制御することで、例えば、装飾品１の周辺の明るさに応じてEペーパ１２の色や柄を変更することができる。
【００３９】
あるいはまた、センサ３１は、心拍（脈拍）を計測する心拍センサなどの生体センサで構成してもよい。この場合、駆動制御部３５が、センサ３１の出力値に応じて表示を制御することで、例えば、心拍の早さや遅さに応じてEペーパ１２の色や柄を変更することができる。
【００４０】
あるいはまた、センサ３１は、現在位置を検出するGPS(Global Positioning System)センサで構成してもよい。この場合、駆動制御部３５が、センサ３１の出力値に応じて表示を制御することで、例えば、ユーザの現在地に応じてEペーパ１２の色や柄を変更することができる。
【００４１】
あるいはまた、センサ３１は、高度（標高）を検出する高度センサで構成してもよい。この場合、駆動制御部３５が、センサ３１の出力値に応じて表示を制御することで、例えば、高度の変化に応じてEペーパ１２の色や柄を変更することができる。
【００４２】
あるいはまた、センサ３１は、大気圧を検出する気圧センサで構成してもよい。この場合、駆動制御部３５が、センサ３１の出力値に応じて表示を制御することで、例えば、気圧の変化に応じてEペーパ１２の色や柄を変更することができる。
【００４３】
あるいはまた、センサ３１は、人間の存在の有無を検出する人感センサで構成してもよい。この場合、駆動制御部３５が、センサ３１の出力値に応じて表示を制御することで、例えば、人の存在の有無に応じてEペーパ１２の色や柄を変更することができる。
【００４４】
あるいはまた、センサ３１は、方位を検出する地磁気センサで構成してもよい。この場合、駆動制御部３５が、センサ３１の出力値に応じて表示を制御することで、例えば、方位の変化に応じてEペーパ１２の色や柄を変更することができる。
【００４５】
以上のように、センサ３１は、加速度センサ、照度センサ、心拍センサ、GPSセンサ、高度センサ、気圧センサ、人感センサ、または、地磁気センサのいずれかとすることができる。あるいはまた、回路基板１３には、上述したいずれかの種類のセンサ３１を複数備えてもよい。
【００４６】
モード変更スイッチ３２は、第１の動作モードである第１オートモードと、第２の動作モードである第２オートモードと、第３の動作モードであるマニュアルモードを切り替えるためのユーザの操作を検出し、その操作信号として、動作モードを切り替える切替制御信号を駆動制御部３５に供給する。
【００４７】
第１オートモード及び第２オートモードは、ユーザの操作入力に関係なく、駆動制御部３５が、自動で、Eペーパ１２の表示パターンを決定して制御するモードである。ここで、表示パターンとは、Eペーパ１２が所定の表示を行うことによって表現される、Eペーパ１２の表示領域全体としての色または柄（模様）を表す。したがって、本実施形態において、Eペーパ１２の表示パターンの変更とは、Eペーパ１２の表示柄及び表示色の一方または両方を変更することを意味する。
【００４８】
第１オードモードでは、駆動制御部３５は、センサ３１の出力値に応じてEペーパ１２の駆動電圧を決定して、その決定した駆動電圧をEペーパ１２に供給することで、Eペーパ１２に所定の表示パターンを表示させる。
【００４９】
第２オードモードでは、駆動制御部３５は、複数の表示パターンを一定時間ごとに切り替えた表示を行う。これにより、例えば、第２オートモードに設定した場合、Eペーパ１２の表示パターンを、曜日や時間で切り替えることができる。第２オードモードで表示可能な表示パターンは、マニュアルモードにおいて、柄変更スイッチ３３や色変更スイッチ３４を用いて表示可能な表示パターンのいずれかである。
【００５０】
マニュアルモードは、予め決められた複数種類の表示パターンのうち、柄変更スイッチ３３または色変更スイッチ３４を操作することによりユーザが選択した表示パターンとなるようにEペーパ１２を制御するモードである。即ち、マニュアルモードは、Eペーパ１２の表示パターンをユーザが選択できるモードである。
【００５１】
柄変更スイッチ３３は、表示柄を切り替えるためのユーザの切り替え操作を受け付け、受け付けた切り替え操作に対応する操作信号を駆動制御部３５に供給する。色変更スイッチ３４は、表示色を切り替えるためのユーザの切り替え操作を受け付け、受け付けた切り替え操作に対応する操作信号を駆動制御部３５に供給する。柄変更スイッチ３３と色変更スイッチ３４は、両方の機能を備える一つのスイッチで構成してもよい。
【００５２】
モード変更スイッチ３２、柄変更スイッチ３３、及び色変更スイッチ３４のそれぞれは、例えば、ボタンスイッチ、スライドスイッチ、プッシュスイッチ、レバースイッチ、ダイヤルスイッチ、タッチセンサなどで構成される。
【００５３】
駆動制御部３５は、表示部としてのEペーパ１２の駆動電圧を制御することで、Eペーパ１２の表示を制御する。より詳しくは、動作モードがマニュアルモードに設定されている場合、駆動制御部３５は、柄変更スイッチ３３または色変更スイッチ３４の操作に応じて、Eペーパ１２の表示パターンを制御する。一方、動作モードが第１オートモードに設定されている場合、駆動制御部３５は、センサ３１の出力値に基づいてEペーパ１２の表示パターンを制御する。動作モードが第２オートモードに設定されている場合、駆動制御部３５は、時間経過に応じてEペーパ１２の表示パターンを制御する。
【００５４】
駆動制御部３５は、例えば、マイクロコンピュータ、CPUなどを用いて、Eペーパ１２を駆動するドライバソフトウエアを実行することにより実現することができる。
【００５５】
Eペーパ１２は、駆動制御部３５の制御に従い、所定の表示（発光）を行う。Eペーパ１２は、上述したように、いわゆる電子ペーパと呼ばれる、形態を柔軟に変形することが可能な薄板状の電気泳動型ディスプレイである。
【００５６】
なお、電子ペーパには、表示領域を予め複数のセグメントに分割し、セグメント単位で駆動電圧を制御することで、表示領域全体として所定の表示パターンを表示させるセグメントタイプと、表示領域をドット領域（微小領域）で２次元アレイ状に均等分割し、分割された各ドット領域をTFT(Thin Film Transistor)により個別にオンオフ制御する構成とするドットマトリクスタイプとがある。本実施形態では、Eペーパ１２は、ドットマトリクスタイプの電子ペーパであるとする。ドットマトリクスタイプの電子ペーパでは、表示色をドット領域単位で制御可能であるので、任意の表示パターンを表現することができる。
【００５７】
バッテリ３６は、装飾品１の各部へ電源を供給する。
【００５８】
装飾品１は、以上のように構成されている。
【００５９】
＜３．マニュアルモードの動作説明＞
次に、装飾品１の動作モードがマニュアルモードに設定されている場合の動作について説明する。
【００６０】
図４は、装飾品１の動作モードがマニュアルモードに設定されている状態で、ユーザによって柄変更スイッチ３３が押下された場合のEペーパ１２の表示パターンの例を示している。
【００６１】
装飾品１の動作モードがマニュアルモードに変更された場合、予め決定された所定のパターン、例えば、図４の「柄なし」の表示パターンが、最初に表示される。「柄なし」は、Eペーパ１２の全領域が白色に制御された表示パターンである。図４に示される「柄なし」の表示パターンにおいて、再外周の円は、石１１の平面方向の外形と一致し、内側の六角形と６つの三角形は、石１１のカット形状に応じた稜線を表している。
【００６２】
最初の「柄なし」の表示パターンが表示された状態から、ユーザによって柄変更スイッチ３３が押下されるごとに、駆動制御部３５は、図４に示されるように、「赤ハート」、「黒ハート」、「赤クローバ」、「黒クローバ」、「赤/黒ミックス」、「カット」、「柄なし」の表示パターンに順次切り替える。「赤ハート」は、石１１のカット形状に応じて赤色のハート形状を複数配置した表示パターンである。「黒ハート」は、石１１のカット形状に応じて黒色のハート形状を複数配置した表示パターンである。「赤クローバ」は、石１１のカット形状に応じて赤色のクローバ形状を複数配置した表示パターンである。「黒クローバ」は、石１１のカット形状に応じて黒色のクローバ形状を複数配置した表示パターンである。「赤/黒ミックス」は、石１１のカット形状に応じて黒色のクローバ形状と赤色のハート形状を複数配置した表示パターンである。「カット」は、石１１のカット形状に応じて領域を分割し、分割した各領域を白色、黒色、または赤色のいずれかに設定した表示パターンである。
【００６３】
次に、図５のフローチャートを参照して、動作モードがマニュアルモードに設定されている状態で、柄変更スイッチ３３が押下された場合の表示制御処理であるマニュアルモード柄変更制御処理について説明する。図５のマニュアルモード柄変更制御処理は、例えば、モード変更スイッチ３２によって動作モードがマニュアルモードに設定されたとき開始される。
【００６４】
初めに、ステップＳ１において、駆動制御部３５は、柄変更スイッチ３３がユーザによって操作されたかを判定する。そして、柄変更スイッチ３３が操作されたと判定されるまで、ステップＳ１の処理が繰り返される。
【００６５】
ステップＳ１で、柄変更スイッチ３３が操作されたと判定された場合、処理はステップＳ２に進み、駆動制御部３５は、内部メモリに記憶されている制御テーブルを参照し、Eペーパ１２の表示パターンを、次の表示パターンに変更する。制御テーブルには、図４に示した各表示パターンの表示順序と、各表示パターンを表示する際の各ドット領域の駆動電圧が記憶されている。
【００６６】
例えば、ステップＳ１で柄変更スイッチ３３が操作されたと判定され、現在の表示パターンが「赤ハート」である場合、駆動制御部３５は、Eペーパ１２の表示パターンを、次の表示パターンである「黒ハート」に変更する。
【００６７】
例えば、ステップＳ１で柄変更スイッチ３３が操作されたと判定され、現在の表示パターンが「カット」である場合、駆動制御部３５は、Eペーパ１２の表示パターンを、次の表示パターンである「柄なし」に変更する。
【００６８】
なお、表示パターンの種類は、図４に示した７種類に限られず、より多くの表示パターンを表示できるように制御テーブルを用意することができる。表示パターンの種類が上述のように７種類であれば、７回の操作で最初の表示パターンに戻ることができるが、表示パターンの種類が多い場合には最初の表示パターンに戻るための操作回数が多くなる。そこで例えば、駆動制御部３５は、柄変更スイッチ３３の長押し操作など所定の操作を検出した場合に、最初の表示パターンを表示させるように制御する。
【００６９】
図５のステップＳ２で、Eペーパ１２の表示パターンが、次の表示パターンに変更された後、処理はステップＳ１に戻り、動作モードが第１オートモードまたは第２オートモードに変更されるまで、上述したステップＳ１及びＳ２が繰り返される。
【００７０】
以上のように、動作モードがマニュアルモードに設定されている場合、柄変更スイッチ３３の操作に応じて、Eペーパ１２の表示柄が変更される。
【００７１】
図６は、装飾品１の動作モードがマニュアルモードに設定されている状態で、ユーザによって色変更スイッチ３４が押下された場合のEペーパ１２の表示パターンの例を示している。
【００７２】
装飾品１の動作モードがマニュアルモードに変更された場合、予め決定された所定のパターン、例えば、図６の「柄なし」の表示パターンが、最初に表示される。
【００７３】
そして、ユーザが色変更スイッチ３４を押下するごとに、駆動制御部３５は、図６に示されるように、「柄なし」、「黒」、「赤」、の各表示パターンを所定の順序で切り替える。「黒」は、Eペーパ１２の全領域が黒色に制御された表示パターンである。「赤」は、Eペーパ１２の全領域が赤色に制御された表示パターンである。
【００７４】
図５のフローチャートを引用参照して、ユーザが色変更スイッチ３４を押下した際に実行されるマニュアルモード色変更制御処理を説明すると、ステップＳ１における、柄変更スイッチ３３が操作されたか否かを判定する処理が、色変更スイッチ３４が操作されたか否かを判定する処理に置き換えられる。
【００７５】
そして、ステップＳ１において、色変更スイッチ３４が操作されたと判定された場合、処理はステップＳ２に進み、駆動制御部３５は、内部メモリに記憶されている制御テーブルを参照し、Eペーパ１２の表示パターンを、次の表示パターンに変更する。例えば、現在の表示パターンが「柄なし」である場合、駆動制御部３５は、Eペーパ１２の表示パターンを、次の表示パターンである「黒」に変更する。
【００７６】
以上のように、動作モードがマニュアルモードに設定されている場合、色変更スイッチ３４の操作に応じて、Eペーパ１２の表示色が変更される。
【００７７】
なお、上述の説明では、説明を簡単にするため、柄変更スイッチ３３が操作された場合と、色変更スイッチ３４が操作された場合を別々に説明したが、Eペーパ１２が所定の表示柄を表示中に、色変更スイッチ３４を操作して所定の表示色に変更してもよいし、その逆もあり得る。
【００７８】
＜４．オートモードの動作説明＞
次に、装飾品１の動作モードがオートモードに設定されている場合の動作について説明する。
【００７９】
図７のフローチャートを参照して、動作モードが第１オートモードに設定されている場合の第１オートモード表示制御処理について説明する。図７の第１オートモード表示制御処理は、例えば、モード変更スイッチ３２によって動作モードが第１オートモードに設定されたとき開始される。
【００８０】
初めに、ステップＳ１１において、駆動制御部３５は、センサ３１が出力するセンサ信号に基づいて、装飾品１の状態変化を検出したかを判定する。そして、装飾品１の状態変化を検出したと判定されるまで、ステップＳ１１の処理が繰り返される。
【００８１】
例えば、センサ３１が加速度センサで構成される場合、ユーザの動きに応じて、センサ３１によって検出される加速度が変化する。センサ３１から出力される加速度の変化が一定値以上である場合、装飾品１の状態変化があったと検出される。
【００８２】
また例えば、センサ３１が照度センサで構成される場合、ユーザの動きに応じて、センサ３１によって検出される照度が変化する。センサ３１から出力される照度の変化が一定値以上である場合、装飾品１の状態変化があったと検出される。
【００８３】
ステップＳ１１で、装飾品１の状態変化を検出したと判定された場合、処理はステップＳ１２に進み、駆動制御部３５は、センサ３１の出力値に応じて所定の表示パターンを決定して、Eペーパ１２に表示させる。
【００８４】
第１オートモードでは、例えば、センサ３１の出力値に応じて、制御テーブルの複数の表示パターンのどの表示パターンを選択するかが予め決定されている。
【００８５】
例えばセンサ３１が加速度センサで構成される場合、X軸、Y軸、及びZ軸のうち、最も大きい加速度を示した軸がX軸である場合には、「赤ハート」の表示パターンが選択される。最も大きい加速度を示した軸がY軸である場合には、「黒ハート」の表示パターンが選択される。最も大きい加速度を示した軸がZ軸である場合には、「赤/黒ミックス」の表示パターンが選択される。
【００８６】
ステップＳ１２で、Eペーパ１２の表示パターンが、所定の表示パターンに変更された後、処理はステップＳ１１に戻り、動作モードがマニュアルモードまたは第２オートモードに変更されるまで、上述したステップＳ１１及びＳ１２が繰り返される。
【００８７】
以上のように、動作モードが第１オートモードに設定されている場合、センサ３１の出力値に応じて、Eペーパ１２の表示パターンが自動で変更される。
【００８８】
動作モードが第２オートモードに設定されている場合の第２オートモード表示制御処理については、フローチャートの図示は省略するが、例えば、１時間、１日などの一定期間が経過したか否かが内部のクロックタイマ等によってカウントされ、一定期間が経過したと判定された場合、駆動制御部３５が、制御テーブルの複数の表示パターンのなかから、所定の表示パターンを選択して、Eペーパ１２に表示させる。
【００８９】
以上のように、動作モードが第１または第２オートモードに設定されている場合、自動で、Eペーパ１２の表示パターンが変更される。
【００９０】
なお、上述した例では、第１の実施形態に係る装飾品１として、１個の石１１がEペーパ１２及び石座１４の上に置かれた図１の構成を前提に説明したが、図２に示した複数の石１１がEペーパ１２及び石座１４の上に置かれた多石型の構成でも同様である。また、多石型の装飾品１の場合には、例えば、図８に示されるように、複数の石１１それぞれの領域で異なる表示パターンを表示することも可能である。図８は、Eペーパ１２が、３個の石１１のうち、左側の石１１の領域については黒色を表示し、中央の石１１の領域については所定の模様を表示し、右側の石１１の領域については白色を表示した例を示している。
【００９１】
＜５．装飾品の第２の実施形態の概略構成例＞
図９は、装飾品の第２の実施形態の概略構成例を示す断面図である。
【００９２】
第２の実施形態においては、装飾品１は、石１１とEペーパ１２との間に、ハーフミラー５１をさらに設けた構成とされている。その他の構成は、図１に示した第１の実施形態と同様である。
【００９３】
図９のAは、石１１の底面にハーフミラー５１が蒸着により成膜されている構成を示しており、図９のBは、Eペーパ１２の最表面にハーフミラー５１が成膜または接着されている構成を示している。ハーフミラー５１は、石１１とEペーパ１２との間の平面領域全体に配置されている。
【００９４】
装飾品１では、Eペーパ１２の表示パターンを制御することにより、様々な色や模様を表現することができるが、石１１と石座１４の間にEペーパ１２を設けたことにより反射率が低下し、石１１本来のきらめきが低下する。
【００９５】
そこで、第２の実施形態のように、石１１とEペーパ１２との間に、ハーフミラー５１をさらに設けることにより、入射される光の半分をEペーパ１２の手前で反射させることで、石１１のきらめきを増強させることができる。
【００９６】
＜６．装飾品の第３の実施形態の概略構成例＞
図１０は、装飾品の第３の実施形態の概略構成例を示す断面図である。
【００９７】
第３の実施形態においては、装飾品１は、石１１とEペーパ１２との間に、ミラー５２をさらに設けた構成とされている。その他の構成は、図１に示した第１の実施形態と同様である。
【００９８】
図１０のAは、石１１の底面にミラー５２が蒸着により成膜されている構成を示しており、図１０のBは、Eペーパ１２の最表面にミラー５２が成膜または接着されている構成を示している。ミラー５２は、例えば、図１０のCの平面図に示されるように、石１１とEペーパ１２との間の平面領域の一部に、石１１のカット形状に合わせて配置されている。
【００９９】
このように、石１１とEペーパ１２との間の平面領域の一部にミラー５２をさらに設けることにより、入射される光を全反射させる領域を持たせることで、石１１のきらめきを増強させることができる。
【０１００】
＜７．装飾品の第４の実施形態＞
次に、装飾品の第４の実施形態について説明する。
【０１０１】
第４の実施形態では、装飾品１の外観形状は、図１及び図２で説明した第１の実施形態と同様である。第４の実施形態では、装飾品１のEペーパ１２の表示制御の一部が第１の実施形態と異なる。
【０１０２】
＜制御ブロック図＞
図１１は、第４の実施形態における装飾品の制御ブロック図である。
【０１０３】
図１１において、図３に示した第１の実施形態における装飾品１の制御ブロック図と対応する部分については同一の符号を付してあり、その部分の説明は適宜省略する。
【０１０４】
第４の実施形態の装飾品１では、回路基板１３内に、近距離無線通信部７１と記憶部７２が新たに設けられている点が、図３に示した第１の実施形態と異なる。
【０１０５】
また、図１１には、装飾品１の近距離無線通信部７１が近距離無線通信を行う通信相手としてのスマートフォン８１も図示されている。
【０１０６】
スマートフォン８１は、装飾品１の表示制御に関し、デザインデータ作成部９１、装飾品表示制御部９２、及び、通信部９３を有する。
【０１０７】
近距離無線通信部７１は、スマートフォン８１などの他の通信装置との間で、例えば、NFC(Near Field Communication)通信、赤外線通信、Bluetooth（登録商標）、無線LAN（Local Area Network）などによる近距離無線通信を行う通信デバイスである。
【０１０８】
記憶部７２は、近距離無線通信部７１がスマートフォン８１との間で近距離無線通信を行うことで取得されたデザインデータや、石１１のカット形状に応じてデザインデータを補正するための補正情報などの各種のデータを記憶する。
【０１０９】
スマートフォン８１のデザインデータ作成部９１は、ユーザがEペーパ１２で表示させたい表示パターンの操作入力を受け付け、受け付けた表示パターンに対応するデザインデータを作成する。デザインデータ作成部９１によって作成されたデザインデータは装飾品表示制御部９２に供給される。装飾品表示制御部９２は、デザインデータ作成部９１から供給されたデザインデータを、通信部９３を介して装飾品１に送信する。駆動制御部３５は、近距離無線通信部７１が受信したデザインデータに基づいて、Eペーパ１２の表示を制御する。
【０１１０】
また、装飾品表示制御部９２は、スマートフォン８１の機能に連動して装飾品１のEペーパ１２の表示を制御する。具体的には、装飾品表示制御部９２は、スマートフォン８１での電話の着信、電子メールの受信、更新プログラムのお知らせなど、スマートフォン８１がユーザに通知したい内容に応じて、Eペーパ１２の表示を変更するための制御情報を生成し、通信部９３を介して装飾品１に送信する。
【０１１１】
装飾品１の駆動制御部３５は、近距離無線通信部７１が受信したスマートフォン８１の装飾品表示制御部９２からの制御情報に従い、Eペーパ１２の表示を制御する。ユーザは、Eペーパ１２の表示が、通知内容に応じた所定の表示パターンに変更されたことで、スマートフォン８１で発生した所定の動作を認識することができる。どのような通知内容のときにどのような表示を行うかについては、予め決定されているか、装飾品表示制御部９２が備える設定機能等で設定することができる。
【０１１２】
さらに、装飾品表示制御部９２は、スマートフォン８１が有する所定のセンサ、例えば、GPSセンサや加速度センサなどのセンサの出力値を、Eペーパ１２の表示を変更する制御情報として、通信部９３を介して装飾品１に送信する。駆動制御部３５は、センサ３１の出力値に応じて表示を変更する場合と同様に、スマートフォン８１が有するセンサの出力値に応じて、表示を制御（変更）する。
【０１１３】
デザインデータ作成部９１及び装飾品表示制御部９２は、例えば、CPU（Central Processing Unit）やMPU（Micro Processing Unit）などの演算処理装置が所定のアプリケーションプログラムを実行することで実現される。デザインデータ作成部９１及び装飾品表示制御部９２は、それぞれ異なるアプリケーションプログラムで実現されてもよいし、１つのアプリケーションプログラムで実現されてもよい。
【０１１４】
通信部９３は、装飾品１の近距離無線通信部７１が行う近距離無線通信に対応した通信方式の近距離無線通信機能を備える。したがって、通信部９３も、NFC通信、赤外線通信、Bluetooth（登録商標）、無線LANなどによる近距離無線通信を行う通信デバイスを含む。
【０１１５】
また、通信部９３は、インターネット、LAN(Local Area Network)、WAN(Wide Area Network)などのネットワークに接続する通信機能も備える。これにより、通信部９３は、インターネットなどのネットワークを介して、所定のサーバ装置へアクセスすることができる。
【０１１６】
図１２は、ユーザがEペーパ１２で表示させたい表示パターンを作成する例を示している。
【０１１７】
図１２のAは、デザインデータ作成部９１としてのデザインデータ作成アプリ９１Aにおいて、ドットマトリックスの各ドットに対して所定の色を設定する操作を行うことで、ユーザが表示パターンを作成する例を示している。
【０１１８】
図１２のBは、デザインデータ作成部９１としてのデザインデータ作成アプリ９１Aを用いてユーザの顔を撮影し、その結果得られた撮影画像が表示パターンとされた例を示している。
【０１１９】
図１２のA及びBのように作成された表示パターンに対応するデザインデータが、デザインデータ作成アプリ９１Aから、通信部９３及び近距離無線通信部７１を介して、装飾品１の駆動制御部３５に供給される。そして、駆動制御部３５が、デザインデータ作成アプリ９１Aからのデザインデータに従い、Eペーパ１２の表示を制御する。デザインデータは、例えば、モノクロまたはRGBの８ビット階調で表された画素値を有する画素の２次元アレイデータで構成される。
【０１２０】
図１３のA及びBは、図１２のBに示した表示パターンをEペーパ１２で表示した例を示している。
【０１２１】
駆動制御部３５は、図１３のAに示されるように、スマートフォン８１のデザインデータ作成アプリ９１A上に表示された表示パターンと同じように、Eペーパ１２で表示させることができる。
【０１２２】
あるいはまた、駆動制御部３５は、図１３のBに示されるように、石１１のカット形状に合わせてアレンジした表示パターンを、Eペーパ１２で表示させることもできる。
【０１２３】
＜NFC通信を行う場合の操作例＞
図１４は、近距離無線通信部７１がNFC通信を行う場合の操作例を示している。
【０１２４】
ユーザは、デザインデータをスマートフォン８１へ転送する動作として、図１４に示されるように、スマートフォン８１を、ディスプレイに転送させたい表示パターンを表示させた状態で装飾品１に近づける操作を行う。
【０１２５】
スマートフォン８１が、装飾品１の数ｃｍ以内に近接されると、装飾品１の近距離無線通信部７１及び駆動制御部３５が、リーダライタであるスマートフォン８１からの電波を受信して起動する。
【０１２６】
そして、装飾品１の近距離無線通信部７１は、スマートフォン８１から、ディスプレイに表示された表示パターンに対応するデザインデータを受信し、駆動制御部３５に供給する。駆動制御部３５は、供給されたデザインデータに基づいて、Eペーパ１２の表示を変更する。
【０１２７】
これにより、装飾品１のEペーパ１２が、スマートフォン８１に表示された表示パターンに変更される。
【０１２８】
近距離無線通信部７１が行う近距離無線通信がNFC通信である場合には、電源は、リーダライタとしてのスマートフォン８１の通信部９３から取得することができる。Eペーパ１２は、表示を切り替えるときのみ電流を流せばよく、表示を保持するために電流を流す必要がないので、近距離無線通信がNFC通信である場合には、装飾品１の構成として、バッテリ３６を省略することができる。
【０１２９】
＜デザインデータ補正処理＞
第４の実施形態において、駆動制御部３５は、記憶部７２に記憶されている補正情報を用いて、スマートフォン８１から送信されてきたデザインデータを石１１のカット形状に応じて補正し、補正後のデザインデータに基づいて、Eペーパ１２に表示パターンを表示させる。
【０１３０】
図１５は、駆動制御部３５によって行われる、石１１のカット形状に応じてデザインデータを補正するデザインデータ補正処理を説明する図である。
【０１３１】
スマートフォン８１においてユーザが作成した表示パターンが、図１５の左端に示される十字パターンであるとする。
【０１３２】
記憶部７２は、ユーザがスマートフォン８１上で作成した表示パターンと、装飾品１の石１１を通して見た表示パターンとが一致するように、デザインパターンを補正するための補正情報を記憶する。
【０１３３】
例えば、装飾品１のカット形状がカット形状Aである場合、記憶部７２には、例えば、図１５において補正情報Aとして示されるような、十字方向の間隔を拡げる処理を行わせる補正情報が記憶されている。駆動制御部３５は、この補正情報Aを用いて、ユーザが作成した表示パターンに対応するデザインデータを補正し、補正処理後のデザインデータを生成する。補正処理後のデザインデータは、図１５に示されるように、十字パターンのパターン幅が中心部から端部へ行くほど大きくなるように変形されたデータとなる。この補正処理後のデザインデータに基づいて駆動制御部３５がEペーパ１２の駆動電圧を制御することにより、ユーザが装飾品１の石１１を通してEペーパ１２の表示パターンを見た場合、図１５右端に示されるような、ユーザが作成した表示パターンと同じような見た目となる。
【０１３４】
また例えば、装飾品１のカット形状が、カット形状Aを４５度回転させたカット形状Bである場合、駆動制御部３５は、十字方向の間隔を狭める処理を行わせる補正情報Bを用いて、ユーザが作成した表示パターンに対応するデザインデータを補正する。補正処理後のデザインデータは、図１５に示されるように、十字パターンのパターン幅が中心部から端部へ行くほど小さくなるように変形されたデータとなる。この補正処理後のデザインデータに基づいて駆動制御部３５がEペーパ１２の駆動電圧を制御することにより、ユーザが装飾品１の石１１を通してEペーパ１２の表示パターンを見た場合、図１５右端に示されるような、ユーザが作成した表示パターンと同じような見た目となる。
【０１３５】
このように、駆動制御部３５は、記憶部７２に記憶されている補正情報を用いてデザインデータを補正し、補正後のデザインデータに基づいてEペーパ１２を制御する。これにより、石１１のカット形状による光の屈折を考慮して、ユーザが装飾品１の石１１を通して見た表示パターンと、スマートフォン８１上で作成した表示パターンとを一致させることができる。
【０１３６】
＜表示パターン転送処理＞
図１６のフローチャートを参照して、スマートフォン８１でユーザが作成した表示パターンを装飾品１のEペーパ１２に表示させる表示パターン転送処理について説明する。
【０１３７】
初めに、ステップＳ５１において、スマートフォン８１のデザインデータ作成部９１は、ユーザが入力した表示パターンに対応するデザインデータを作成する。
【０１３８】
ステップＳ５２において、デザインデータ作成部９１は、ユーザが作成した表示パターンを装飾品１に転送する転送操作が行われたかを判定する。ステップＳ５２で、転送操作が行われていないと判定された場合、処理はステップＳ５１に戻り、ステップＳ５１及びＳ５２の処理が繰り返される。
【０１３９】
一方、ステップＳ５２で、転送操作が行われたと判定された場合、処理はステップＳ５３に進み、デザインデータ作成部９１は、装飾品表示制御部９２及び通信部９３を介して、ユーザが作成した表示パターンに対応するデザインデータを装飾品１に送信する。
【０１４０】
装飾品１の駆動制御部３５は、ステップＳ５４において、スマートフォン８１から送信されたデザインデータを近距離無線通信部７１を介して受信する。さらに、駆動制御部３５は、受信したデザインデータに対して、記憶部７２に記憶された補正情報に基づく補正処理を実行する。
【０１４１】
駆動制御部３５は、ステップＳ５５において、補正処理後のデザインデータに基づいてEペーパ１２の駆動電圧を制御し、Eペーパ１２の表示を書き換える。
【０１４２】
以上の表示パターン転送処理によれば、ユーザがスマートフォン８１で作成した任意の表示パターンを、装飾品１のEペーパ１２に表示させることができる。この場合、記憶部７２に記憶された補正情報を用いて、受信したデザインデータを補正する処理を行うことで、ユーザがスマートフォン８１上で作成した表示パターンと、装飾品１の石１１を通して見た表示パターンとを一致させることができる。
【０１４３】
＜表示パターン提供システムの構成例＞
図１６を参照して説明した表示パターン転送処理は、装飾品１のユーザが自分で表示パターンを作成して、装飾品１に表示させる例であった。
【０１４４】
しかしながら、クリエイタなどの他のユーザが作成した表示パターンを装飾品１に表示させることも可能である。
【０１４５】
また、装飾品１のカット形状に応じてデザインデータを補正するデザインデータ補正処理は、装飾品１で行わずに、スマートフォン８１やサーバ装置などで実行することも可能である。この場合、石１１のカット形状に応じてデザインデータを補正するための補正情報は、装飾品１が必ずしも保有する必要はなく、装飾品１は、どのようなカット形状であるかを示すカット形状識別情報を保有していればよい。
【０１４６】
以下、装飾品１がカット形状識別情報を保有し、クリエイタが作成した表示パターンをスマートフォン８１で補正処理して装飾品１に転送してEペーパ１２に表示させる例について説明する。
【０１４７】
図１７は、クリエイタとユーザとの間で表示パターンの授受を可能とする表示パターン提供サービスを実現する表示パターン提供システム（通信システム）の構成例を示している。
【０１４８】
表示パターン提供システムは、クリエイタが操作する端末装置１０１、クリエイタがユーザに提供する表示パターンのデザインデータと、石１１の補正情報が登録されているサーバ１０２、及び、ユーザがデザインデータをダウンロードするスマートフォン８１を少なくとも含んで構成される。表示パターン提供システムでは、実際には、多数のクリエイタやユーザが、自身の端末装置を使用してサーバ１０２にアクセスすることが可能であるが、説明を簡単にするため、一人のクリエイタとユーザについて説明する。
【０１４９】
端末装置１０１は、例えば、パーソナルコンピュータ（PC）、ノートPC、タブレット、スマートフォンなどで構成され、少なくともネットワーク通信機能を有する。
【０１５０】
端末装置１０１１、サーバ１０２、及び、スマートフォン８１は、インターネット、LAN(Local Area Network)、WAN(Wide Area Network)などのネットワーク１０３を介して接続されている。
【０１５１】
サーバ１０２は、クリエイタによりアップロードされた表示パターンのデザインデータを記憶するとともに、ユーザがサーバ１０２の所定のアドレス（URL）にアクセスしてきたときに、多数のクリエイタにより提供された表示パターンをWeb上でユーザに提供する。換言すれば、サーバ１０２によって、装飾品１の表示パターンに対応するデザインデータを提供するネットショップが実現される。
【０１５２】
図１８のフローチャートを参照して、図１７の表示パターン提供システムで実行されるデザインデータ提供処理について説明する。
【０１５３】
初めに、ステップＳ７１において、スマートフォン８１は、ユーザの操作に応じて、ブラウザなどからサーバ１０２の所定のアドレスにアクセスすることで、多数のクリエイタによって作成された装飾品１向けの表示パターンの閲覧及び購入が可能なサイト（ネットショップ）にアクセスし、所望の表示パターンを検索する。
【０１５４】
サーバ１０２は、スマートフォン８１のブラウザからの要求に応じて、多数のクリエイタによって作成された装飾品１向けの表示パターンを一覧表示させるウェブページをスマートフォン８１に送信し、スマートフォン８１のディスプレイにデザインデータの一覧を表示させる。
【０１５５】
ユーザは、表示パターンの一覧を見て、所望の表示パターンを購入する操作を行うと、ステップＳ７２において、サーバ１０２は、ユーザが購入操作を行った表示パターンに対応するデザインデータを、スマートフォン８１に送信する。スマートフォン８１は、サーバ１０２から送信されてきたデザインデータを受信し、内部メモリに記憶する。
【０１５６】
スマートフォン８１は、ステップＳ７３において、表示パターンを装飾品１に転送する転送操作が行われたかを判定し、転送操作が行われたと判定されるまで待機する。
【０１５７】
そして、ステップＳ７３で、転送操作が行われたと判定された場合、処理はステップＳ７４に進み、スマートフォン８１は、近距離無線通信を用いて、石１１を識別する石IDを要求する石ID要求を装飾品１に送信する。この石IDは、石１１のカット形状も識別できる情報であり、カット形状識別情報に相当する。
【０１５８】
装飾品１は、ステップＳ７５において、スマートフォン８１から送信されてきた石ID要求を受信し、記憶部７２に記憶されている自分の石IDをスマートフォン８１に返信する。
【０１５９】
スマートフォン８１は、ステップＳ７６において、装飾品１から送信されてきた石IDを受信し、補正情報を要求する補正情報要求を、受信した石IDとともにサーバ１０２に送信する。
【０１６０】
サーバ１０２は、ステップＳ７７において、スマートフォン８１から送信されてきた補正情報要求を受信し、補正情報要求とともに送信されてきた石IDに対応する補正情報をスマートフォン８１に返信する。
【０１６１】
スマートフォン８１は、ステップＳ７８において、ステップＳ７２で受信したデザインデータに対して、ステップＳ７７で受信した補正情報に基づく補正処理を実行する。
【０１６２】
そして、ステップＳ７９において、スマートフォン８１は、補正処理後のデザインデータを、装飾品１に送信する。
【０１６３】
装飾品１は、ステップＳ８０において、スマートフォン８１から送信されてきた補正処理後のデザインデータを受信し、その補正処理後のデザインデータに基づいてEペーパ１２の駆動電圧を制御し、Eペーパ１２の表示を書き換える。
【０１６４】
以上のようにして、他のユーザが作成した表示パターンを装飾品１に表示させることができる。これにより、装飾品１で表示させる表示パターンのバリエーションを拡げることができる。石１１のカット形状に応じた表示パターンの見え具合を補正するデザインデータ補正処理はスマートフォン８１側で実行するので、装飾品１の記憶部７２には石IDのみを保持すればよく、装飾品１の負荷が低減される。
【０１６５】
なお、この例では、クリエイタが作成した表示パターンをユーザが購入するものとして説明したが、ユーザは無償で取得、利用できるシステムとしてもよい。
【０１６６】
また、石１１のカット形状に応じた表示パターンの見え具合を補正するデザインデータ補正処理をスマートフォン８１側で実行するようにしたが、サーバ１０２側で実行するようにしてもよい。この場合、スマートフォン８１は、石IDとデザインデータをサーバ１０２に送信し、その応答として、石IDに対応するデザインデータ補正処理がなされた補正処理後のデザインデータを取得する。
【０１６７】
＜８．その他の装飾品の適用例＞
上述した実施の形態では、本技術を、例えば、指輪、ペンダント、ネックレス、イヤリング等に用いられる装飾品１に適用した例について説明したが、本技術は、石と石座を備える装飾品の全てに適用することができる。
【０１６８】
図１９は、装飾品の他の例であるバレッタ（髪留め）に本技術を適用した例を示している。
【０１６９】
バレッタ２０１は、規則的に配列された複数の石２２１と石座２２２との間に、Eペーパ２２３が配置された構成を有している。
【０１７０】
図２０は、装飾品のさらに他の例であるブレスレットに本技術を適用した例を示している。
【０１７１】
ブレスレット２４１は、規則的に配列された複数の石２６１と、石座としてのリング部２６２との間に、不図示のEペーパが配置された構成を有している。
【０１７２】
図１９のバレッタ２０１や図２０のブレスレット２４１のように、装飾品が複数の石を有する場合には、上述した石IDは、複数の石それぞれについて割り当てられる。
【０１７３】
さらに、本技術は、上述したアクセサリに限定されず、所定の製品を装飾する装飾装置全般に適用することが可能である。
【０１７４】
例えば、図２１は、装飾装置としてのスマートフォンカバーに本技術を適用した例を示している。
【０１７５】
図２１のスマートフォンカバー２８１では、いわゆるカバーケース本体部分を石座として、石座の上にEペーパが配置され、さらにEペーパの上に複数の石が配置されることにより、スマートフォンに装着したとき外側となる外周一面に複数の石が配置されている。
【０１７６】
以上説明したように、本技術を適用した装飾装置（装飾品を含む）によれば、石と石座の間にEペーパを配置し、駆動制御部でEペーパの表示を制御することで、石を取り換えずに色や柄を様々に変えることができ、１種類の石であっても、多様な楽しみ方が可能となる。また、Eペーパで石のサイズよりも細かい柄を表現することができ、石のなかに柄が浮かび上がる新しい楽しみ方ができる。従って、Eペーパを用いて新たな楽しみ方を提供することができる。
【０１７７】
また、装飾装置（装飾品を含む）が、スマートフォン等の他の装置との通信機能を備える場合には、他の装置の動作に連携したEペーパの表示が可能となる。また、他の装置の通知内容に従って石の色や柄を変えることができ、新しい通知手段を提供することができる。
【０１７８】
上述した各実施の形態では、石と石座の間に配置される可撓性を有するディスプレイとしてEペーパを採用した例について説明したが、その他、有機EL(Electro Luminescence)ディスプレイや液晶ディスプレイを採用してもよい。
【０１７９】
上述した各実施の形態では、石自体の色は無色透明であるとしたが、石の色は所定の色を有してもよいし、複数の石を配列した多石型では、無色と有色の石の組合せであってもよい。
【０１８０】
本開示の実施形態は、上述した実施形態に限定されるものではなく、本開示の要旨を逸脱しない範囲において種々の変更が可能である。
【０１８１】
例えば、上述した複数の実施形態の全てまたは一部を組み合わせた形態を採用することができる。
【０１８２】
フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０１８３】
また、上述のフローチャートで説明した各ステップは、１つの装置で実行する他、複数の装置で分担して実行することができる。
【０１８４】
さらに、１つのステップに複数の処理が含まれる場合には、その１つのステップに含まれる複数の処理は、１つの装置で実行する他、複数の装置で分担して実行することができる。
【０１８５】
本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１８６】
なお、本明細書に記載された効果はあくまで例示であって限定されるものではなく、本明細書に記載されたもの以外の効果があってもよい。
【０１８７】
なお、本技術は以下のような構成も取ることができる。
（１）
石と石座の間に配置された、薄板状のディスプレイと、
前記ディスプレイの表示を制御する駆動制御部と
を備える装飾装置。
（２）
少なくとも１つのセンサをさらに備え、
前記駆動制御部は、前記センサからの出力値に応じて、前記ディスプレイの表示を制御する
前記（１）に記載の装飾装置。
（３）
前記駆動制御部は、前記センサからの出力値に応じて、前記ディプレイの表示柄を切り替える
前記（２）に記載の装飾装置。
（４）
前記駆動制御部は、前記センサからの出力値に応じて、前記ディスプレイの表示色を切り替える
前記（２）または（３）に記載の装飾装置。
（５）
前記センサは、加速度センサ、照度センサ、心拍センサ、GPSセンサ、高度センサ、気圧センサ、人感センサ、または、地磁気センサのいずれかである
前記（１）乃至（４）のいずれかに記載の装飾装置。
（６）
ユーザの切り替え操作を受け付けるスイッチをさらに備え、
前記駆動制御部は、前記スイッチが受け付けた前記切り替え操作に応じて、前記ディスプレイの表示を制御する
前記（１）乃至（５）のいずれかに記載の装飾装置。
（７）
前記駆動制御部は、前記切り替え操作に応じて、前記ディプレイの表示柄を切り替える
前記（６）に記載の装飾装置。
（８）
前記駆動制御部は、前記切り替え操作に応じて、前記ディスプレイの表示色を切り替える
前記（６）または（７）に記載の装飾装置。
（９）
前記駆動制御部は、一定時間ごとに前記ディスプレイの表示を変更する制御を行う
前記（１）乃至（８）のいずれかに記載の装飾装置。
（１０）
他の装置と近距離無線通信を行う近距離無線通信部をさらに備え、
前記駆動制御部は、前記近距離無線通信が受信した前記他の装置からの制御情報に従い、前記ディスプレイの表示を制御する
前記（１）乃至（９）のいずれかに記載の装飾装置。
（１１）
前記近距離無線通信部は、前記他の装置がユーザに通知したい内容を示す情報を受信し、
前記駆動制御部は、前記他の装置がユーザに通知したい内容に応じて、前記ディスプレイの表示を変化させる
前記（１０）に記載の装飾装置。
（１２）
前記近距離無線通信部は、前記他の装置が有するセンサの出力値を受信し、
前記駆動制御部は、前記他の装置が有するセンサの出力値に応じて、前記ディスプレイの表示を制御する
前記（１０）または（１１）に記載の装飾装置。
（１３）
近距離無線通信を用いて、他の装置からデザインデータを受信する近距離無線通信部をさらに備え、
前記駆動制御部は、前記デザインデータに基づいて、前記ディスプレイの表示を制御する
前記（１）乃至（１２）のいずれかに記載の装飾装置。
（１４）
前記石の形状に応じて前記デザインデータを補正するための補正情報を記憶する記憶部をさらに備え、
前記駆動制御部は、前記補正情報に基づく補正処理後の前記デザインデータに基づいて、前記ディスプレイの表示を制御する
前記（１３）に記載の装飾装置。
（１５）
前記石の形状に関する情報である形状情報を記憶する記憶部をさらに備え、
前記近距離無線通信部は、前記形状情報を前記他の装置に送信するとともに、前記形状情報に基づく補正処理後の前記デザインデータを受信し、
前記駆動制御部は、前記補正処理後の前記デザインデータに基づいて前記ディスプレイの表示を制御する
前記（１３）に記載の装飾装置。
（１６）
前記石と前記ディスプレイとの間に、ハーフミラーを有する
前記（１）乃至（１５）のいずれかに記載の装飾装置。
（１７）
前記ハーフミラーは、前記石と前記ディスプレイとの間の平面領域全体に配置されている
前記（１６）に記載の装飾装置。
（１８）
前記石と前記ディスプレイとの間の平面領域の一部に、ミラーを有する
前記（１）乃至（１０）のいずれかに記載の装飾装置。
（１９）
石と石座の間に配置された、薄板状のディスプレイと、
前記ディスプレイを駆動する駆動制御部と
を備える装飾装置の
前記駆動制御部が、前記ディスプレイの表示を制御する
駆動制御方法。
（２０）
装飾装置と端末装置とからなり、
前記装飾装置は、
石と石座の間に配置された、薄板状のディスプレイと、
前記ディスプレイの表示を制御する駆動制御部と、
前記端末装置と無線通信を行う通信部と
を備え、
前記端末装置は、前記ディスプレイの表示を変更するための制御情報を、前記通信部に送信する
通信システム。
【符号の説明】
【０１８８】
１  装飾品，  １１  石，  １２  Eペーパ，  １３  回路基板，  １４  石座，  ３１  センサ，  ３２  モード変更スイッチ，  ３３  柄変更スイッチ，  ３４  色変更スイッチ，  ３５  駆動制御部，  ５１  ハーフミラー，  ５２  ミラー，  ７１  近距離無線通信部，  ７２  記憶部，  ８１  スマートフォン，  ９１  デザインデータ作成部，  ９２  装飾品表示制御部，  ９３  通信部，  １０１  端末装置，  １０２  サーバ，  ２０１  バレッタ，  ２４１  ブレスレット，  ２８１  スマートフォンカバー
【図１】
2017221740.tif 000003
【図２】
2017221740.tif 000004
【図３】
2017221740.tif 000005
【図４】
2017221740.tif 000006
【図５】
2017221740.tif 000007
【図６】
2017221740.tif 000008
【図７】
2017221740.tif 000009
【図８】
2017221740.tif 000010
【図９】
2017221740.tif 000011
【図１０】
2017221740.tif 000012
【図１１】
2017221740.tif 000013
【図１２】
2017221740.tif 000014
【図１３】
2017221740.tif 000015
【図１４】
2017221740.tif 000016
【図１５】
2017221740.tif 000017
【図１６】
2017221740.tif 000018
【図１７】
2017221740.tif 000019
【図１８】
2017221740.tif 000020
【図１９】
2017221740.tif 000021
【図２０】
2017221740.tif 000022
【図２１】
2017221740.tif 000023
【国際調査報告】
2017221740.tif 000024
2017221740.tif 000025
2017221740.tif 000026
2017221740.tif 000027